(57)【要約】      （修正有）【課題】仕事中、取り替え、容易な替え刃カッターの提供。【解決手段】左側及び右側の側板を有し、先頭部に先端内部セパレーター５を設け、後端部に刃折れ部４を設け、左側側板及び右側板の間に大刃６及び又は小刃７並びに鋸刃を設けた２枚刃カッターで有り、場合によっては、左側及び右側の側板を有し、先頭部に先端内部セパレーターを設け、後端部に刃折れ部を設け、左側側板及び右側板の間に大刃、中刃及び又は小刃並びに鋸刃を設けた３枚刃カッター、であり、最大では４枚刃を設けた４枚刃カッターであり、左側及び右側の側板を有し、先頭部に先端内部セパレーターを設け、後端部に刃折れ部を設け、左側側板及び右側板の間に大刃及び又は小刃並びに鋸刃を設けた替え刃カッターであって、左側及び右側側板が金属又はプラスチックから成る、替え刃カッター。【選択図】  図１
2007020820.tif 000002
【特許請求の範囲】
【請求項１】
左側及び右側の両側の側板を有し、先頭部に先端内部セパレーターを設け、後端部に刃折れ部を設け、該左側側板及び右側側板の両側側板の間に大刃及び又は小刃並びに鋸刃から選ばれた２種類の刃を設けた事を特徴とする２枚替え刃カッター。
【請求項２】
両側の側板を有し、先頭部に先端内部セパレーターを後端部に刃折れ部を設け、両側側板はそれぞれ２種類の大刃、中刃及び又は小刃並びに鋸刃の替え刃を設ける事が出来る事を特徴とする２枚替え刃カッター。
【請求項３】
左側及び右側の側板を有し、先頭部に先端内部セパレーターを設け、後端部に刃折れ部を設け、該左側側板及び右側側板の間に大刃、中刃及び又は小刃並びに鋸刃を３枚又は４枚設けた事を特徴とする３枚又は４枚替え刃カッター。
【請求項４】
左側及び右側の側板を有し、先頭部に先端内部セパレーターを設け、後端部に刃折れ部を設け、該左側側板及び右側側板の間に大刃、中刃及び又は小刃並びに鋸刃を設けた替え刃カッターであって、該左側側板及び右側側板が金属又はプラスチックから成る事を特徴とする請求項１、請求項２又は請求項３記載の替え刃カッター。
【発明の詳細な説明】
【技術分野】
【０００１】
替え刃カッターに属する
【背景技術】
【０００２】
１）従来のブリキ製又はプラスチックの側板では、１枚の替え刃の物しか使用出来なかった。
２）替え刃が同じ形状では、２枚でも実質１枚と変わらない。
３）替え刃の大きさを違えると従来とは違った工夫が要る。
【発明の開示】
【発明が解決しようとする課題】
【０００３】
１）必要な大きさの替え刃のカッターを何種類かを使用すると、作業場に、カツターが幾つも散らばる事に成り、作業で怪我する事に成る。
２）一つのカッターで、てきぱきと作業が出来るので、能率の向上が計られる。
【課題を解決するための手段】
【０００４】
上記の課題を解決する為に鋭意研究した結果、本発明に到達したもので、即ち本発明は，一つの替え刃カッターにて，大中小の鋸刃の４種類の替え刃を使用する為に，左側及び右側の両側の側板を有し、先頭部に先端内部セパレーターを設け、後端部に刃折れ部を設け、該左側側板及び右側板の間に大きさの違う大刃、中刃及び又は小刃並びに鋸刃の中から２種類を選択して設けた２枚替え刃カッターであり、より詳述すれば
左右両側の側板を有し、先頭部に先端内部セパレーターを後端部に刃折れ部を設け、両側側板はそれぞれ大刃、中刃及び又は小刃並びに鋸刃の替え刃を設ける事が出来る２枚替え刃カッターであり
左側及び右側の側板を有し、先頭部に先端内部セパレーターを設け、後端部に刃折れ部を設け、該左側側板及び右側側板の間に大きさの違う３種類の大刃、中刃及び又は小刃並びに鋸刃の４種類から必要に応じて３枚替え刃カッター、４枚替え刃カッタ−も可能であり、
カッター本体の材料としましては、該左側側板及び右側側板の材料が金属又はプラスチックから成る替え刃カッターで有ります。
【発明の効果】
【０００５】
１）替え刃カッターに於いて、形状の異なった刃を複数本を自在に付ける事で作業性が向上する。
２）作業中、１本の替え刃カッターで、作業を進める事が出来て、他の同種のカッターが散在して居ないので、カッター散乱による怪我が少なくなる。
３）複数の替え刃が１個のカッターに内在しているので、一つのカッターできめ細かい作業が出来る。
４）製品化の場合、部品点数少なく、製品のスリム化が可能であります。
【発明の実施をする為の最良の形態】
【０００６】
１）替え刃２枚カッターの時は左側の側板と右側の側板にスライダーを装着して作業性を向上する事が出来る。
２）替え刃の組み合わせとしては、側板は裏・表の関係が有ります。
Ｎｏ１  Ｎｏ２  Ｎｏ３  Ｎｏ４  Ｎｏ５  Ｎｏ６
右側（左側）側板  大刃    大刃    小刃    小刃    中刃     大刃
左側（右側）側板  大刃    小刃    大刃    小刃    大刃     中刃
Ｎｏ７  Ｎｏ８
右側（左側）側板  中刃     小刃
左側（右側）側板  小刃     中刃
と有り、鋸刃も入れると
右側（左側）側板  大刃      鋸刃    小刃    鋸刃    中刃    鋸刃
左側（右側）側板  鋸刃      大刃    鋸刃    小刃    鋸刃    中刃
３）替え刃３本、替え刃４本の時は、左側の側板と右側の側板とを上端部及び下端部に於いて後端部から先端部にかけて、スライダーを装着する事で、一つの替え刃カッターで、２枚から４枚の替え刃を自在に操作出来る。
【０００７】
本発明を図面に基づいて説明する。図１は本発明の替え刃２枚カッターの分解斜視図で有ります。
左側及び右側の本体側板１を有し、先頭部に先端内部セパレーター５を設け、後端部に刃折れ部４を設け、該左側側板及び右側板の間に大刃６及び小刃７を設けた２枚刃カッターで有ります。大刃６及び小刃７はスライダー２にフック用ビス８ｂに連接された刃フック３の刃・刃フック固定孔９を介して、本体側板２の空間１０をスライダー２の移動で所要の作業を行う。替え刃の組み合わせは、大、中、小の３枚替え刃では、大  大、大  中、中  大、大  小、小  大  、中  中、中  小、小  中、小  小、の８通りあり、鋸刃では、大  鋸、鋸  大、中  鋸、鋸  中、  小  鋸、鋸  小  の６通りになります。
【０００８】
本発明は、３枚刃替え刃及び４枚刃替え刃をも含むものであるが、  左側及び右側の各の側板１を先端部及び後端部で連接させ、上部分又は下部分に上部スライダー２ａ及び下部スライダー２ｂを設ける。この場合、先端内部セパレーター５は替え刃を増やす毎に３枚用、４枚用にあらかじめ作っておくものとする。後端部に刃折れ部４を設けるが替え刃の増加によって、３枚用、４枚用に修正する。該左側側板及び右側板の間に大刃、中刃及び小刃並びに鋸刃と大きさの違った刃を設けるものである。
【０００９】
左側及び右側の側板に付いては、該左側及び右側側板が金属又はプラスチックスのいずれでも良いが、強度や使用頻度で選択した方が無難で有ります。
替え刃カッター本体１の製法としてはアルミダイカスト、金属のプレスセイケイ、樹脂の成型加工と様々な加工が可能であります。
スライダ−２の止め方法としては、ビス一体、ビスでとめる。リベット方式と多様な方法が考えられる。
【図面の簡単な説明】
【００１０】
【図１】図１は本発明の替え刃２枚カッターの分解斜視図の１例で有ります。
【図２】図２は本発明の替え刃２枚カッターの正面図の１例で有ります。
【図２ａ】図２ａは、本発明の替え刃２枚カッターの正面図の左側面図である。
【図２ｂ】図２ｂは、本発明の替え刃２枚カッターの正面図の右側面図である。
【図３】図３は本発明の替え刃２枚カッターの底面図の１例で有ります。
【図４】図４は本発明の替え刃２枚カッターの背面図の１例であります。
【図５】図５は本発明の替え刃２枚カッターの平面図であります。
【図５ａ】図５ａは、本発明の替え刃２枚カッターの平面図のＢ−Ｂ断面図であります。
【符号の説明】
【００１１】
１        替え刃カッター本体
２        スライダー
２ａ      上部スライダー
２ｂ      下部スライダー
３        刃フック
４        刃折れ部材
５        先端内部セパレーター
６        大刃
７        小刃
８        ビス
８ａ      ビス止め具（部）
８ｂ      フック用ビス（スライダー・フック固定）
９        刃・刃フック固定孔
１０      スライダー移行空間
１０ａ    スライダー一時停止止め
【図１】
2007020820.tif 000003
【図２】
2007020820.tif 000004
【図２ａ】
2007020820.tif 000005
【図２ｂ】
2007020820.tif 000006
【図３】
2007020820.tif 000007
【図４】
2007020820.tif 000008
【図５】
2007020820.tif 000009
【図５ａ】
2007020820.tif 000010